(57)【要約】      （修正有）【課題】ゴルフのプレーにおいて、クラブをスイングしたときの、踏張りの際に、左足の足掌の外側へのずれ込みを効果的に抑止し得るようにするゴルフ靴に装入する中敷きの提供。【解決手段】ゴルフ靴に装入する中敷きを、中敷き本体と、それの下面に重合して密着する樹脂材よりなる成形板とで形成し、その成形板を、後端部３０が周縁を上向きに弯曲する椀状で、中間部３１が椀状の前縁に連続する浅い半円筒状で、前端部３２が平板状をなす形状に成形して、全体として広巾の匙状に形成し、かつ、中間部３１は側面視においてアーチ状に弯曲成形し、下面側で後端部３０から中間部３１に渡る範囲の外縁側に、底面が平らな踏張り駒３ｂを複数個、前後方向に間隔をおいて並列させて装設しておく。【選択図】図５
0003120509.tif 000002
【実用新案登録請求の範囲】
【請求項１】
柔軟なシート材によりゴルフ靴１の内底１０の上面形状に倣う形状に形成した中敷き本体２と、それの足の爪先と対応する部位を除いた踵と対応する部位から足掌に対応する部位に渡る範囲に対応する形状に形成してその中敷き本体２の下面側に重合して密着する樹脂材よりなる成形板３とにより、ゴルフ靴１の内部に挿脱自在に挿入して内底１０上面に敷き込む中敷きａを形成し、その成形板３は、後端部３０が周縁を上向きに弯曲する椀状で、中間部３１が前記椀状の前縁に連続する浅い半円筒状で、前端部３２が平板状をなす形状に成形して、全体として広巾の匙状に形成し、かつ、中間部３１は側面視においてアーチ状に弯曲成形し、下面側で後端部３０から中間部３１に渡る範囲の外縁側に、底面が平らな踏張り駒３ｂを複数個、前後方向に間隔をおいて並列させて装設しておくことを特徴とするゴルフ靴の中敷き。
【請求項２】
成形板３の中間部３１の、足掌の内縁側と対向する部位に、足掌の土踏まずに倣うよう高く張り出す張出壁３ａを設けたことを特徴とする請求項１記載のゴルフ靴の中敷き。
【請求項３】
樹脂材で成形する成形板３の中間部３１のアーチ状に弯曲する部位に、複数の透孔３ｅ…を設けて、アーチ状の弯曲部位によるバネ性を柔らかくしたことを特徴とする請求項１記載のゴルフ靴の中敷き。
【請求項４】
成形板３の後端部３０の椀状の弯曲部位の外面の、内縁部に、底面が平らな安定用駒３ｃを、複数個前後方向に間隔をおいて並列させて装設したことを特徴とする請求項１記載のゴルフ靴の中敷き。
【考案の詳細な説明】
【技術分野】
【０００１】
本考案は、ゴルフのプレーにおいて、クラブによりボールを打つときに、左足がぶれないように、ゴルフシューズ内に敷き込むゴルフシューズ用の中敷きに関する。
【背景技術】
【０００２】
ゴルフシューズの内側に、ゴルフシューズとそれを履く人の足とをフィットさせるように、挿脱自在に中敷き（または敷皮）を挿入して敷き込むことは、従来から行われている。
【０００３】
またこの中敷きの、特に人の足の踵の底面が当接する部位に当接してくる踵の底部を包み込むようになる凹部を成形しておいて、ゴルフシューズを着装する人の足とゴルフシューズとが一層フィットするようにすることも従来から行われている。
【０００４】
ところで、ゴルフのプレーにおいて、クラブでゴルフボールを打つときは、通常の右利きの人では左足がぶれないようになることが要求される。これは、左足の足掌がぶれて動くと、体が流れて、クラブのヘッドスピードが落ち、打球の方向が曲がる原因になるからである。
【０００５】
この左足がぶれて足が動くようになるのは、クラブをスイングしたときに、左足の側の接地面を支点に踏張るように体を支えるが、そのとき、体重による荷重が左足の踵の外側に集中してくることで、その左足の踵が、くるぶしの部分から外側に折れ込み、足掌を親指の側が浮き上がり小指の側が下方に向かう斜めに傾斜した状態として、左足を外側にずれ込ませる、いわゆるぶれを生ずることによるからであり、このことから、クラブをスイングしたときに、左足が傾斜して外側にずれ込み、ぶれが生ずるようになるのを抑えて、踏張れるようにすることが要求される。
【０００６】
このゴルフクラブをスイングしたときの左足のぶれを抑止し得るようにした手段を施したゴルフシューズの中敷きを強張したものはない。
【０００７】
そして、本考案は、この左足のぶれを、ゴルフシューズの内側に敷き込む中敷きにより効果的に抑止し得るようにすることを目的とするものである。
【考案の開示】
【考案が解決しようとする課題】
【０００８】
ゴルフのプレーにおいて、クラブのスイングによりゴルフボールを打つときに生ずる左足のぶれは、クラブをスイングしたときの、左足の踏張りにより、その左足の踵の上のくるぶしの部分が、外側に折れ込むようになることで生じるのだから、この左足のぶれの防止は、踵とくるぶしとの間に生ずる折れ曲がりを抑止することで達成し得ることになる。そして、このくるぶしからの折れ曲がりは、スイングの踏張りの際に、左足の足掌の小指側となる外側に大きな荷重がかかることで、足掌が外側に斜めに傾斜してずれ込むようになることで生じてくるのだから、この足掌の外側へのずれ込みを防止する手段を見出せば、クラブのスイングの際の左足のぶれが解決し得ることになる。本考案において解決しようとする課題は、この点にある。
【課題を解決するための手段】
【０００９】
本考案においては、上述の課題を解決するための手段として、ゴルフ靴の内部に挿脱自在に挿入して、その靴の内底の上面に敷き込む中敷きを、柔軟なシート材により靴の内底の上面形状に対応する形状に形成する中敷き本体と、樹脂材により前記中敷き本体の足の爪先と対応する部位を除いた踵と対応する部位から足掌に対応する部位に渡る範囲に対応する形状に成形して中敷き本体の下面に重合し密着する成形板とにより形成し、その成形板は、後端部が椀状で中間部が前記椀状部に連続する半円筒状で前端部が平板状をなす巾広の匙状に成形し、かつ、中間部は側面視においてアーチ状に弯曲成形し、それの下面側で後端部から中間部に渡る範囲における外縁側に、底面が平らな踏張り駒を、複数個前後に並列させて装設しておく手段を提起するものである。
【考案の効果】
【００１０】
本考案によるゴルフ靴の中敷きは、それを敷き込んだゴルフ靴を着装して行うゴルフのプレーにおいて、クラブをスイングしてゴルフボールを打つときに、左足の踵から足掌の部位が、中敷き本体２の下面に重合させて接着した成形板３の後端部３０の椀状の凹部と、中間部３１の半円筒状部と、張出壁３ａとにより、下方から包み込まれるようになって、靴１に良くフィットし、かつ、スイングのために踏張ったときの、土踏まずの圧迫が足掌の外側に向けて斜めにずれ込むようになるのを、成形板３の下面側で、土踏まずと対向する部位に設けた踏張り駒３ｂ…が支えるようになることで、この左足の足首部分を安定した姿勢に保持するようになって、左足のぶれを効果的に抑止し、打球の方向を良くする。また、成形板３の後端部の椀状の凹部により、踵を少し高い位置に保持して、足掌をアーチ状の弯曲部で弾性的に支えることで、１日に１０ｋｍを越えるゴルフのプレーにおける歩行中に、竹踏み状態を継続させることによるマッサージ効果により疲労を少なくする。
【考案を実施するための最良の形態】
【００１１】
次に本考案によるゴルフ靴用の中敷きの実施の態様を実施例について詳述する。
【実施例１】
【００１２】
図１乃至図９は、第１の実施例を示している。
これら図において、１はゴルフ靴、１０はそのゴルフ靴１の内底、ａはゴルフ靴１の内側に挿脱自在に挿入して内底１０の上面に敷き込む中敷き、２は中敷き本体、３は中敷き本体２の下面側に重合して一体的に接着する成形板を示す。
【００１３】
ゴルフ靴１は、図１にあるように、内側の底に平らな内底１０が張られている普通のゴルフシューズである。
【００１４】
中敷きａは、柔軟なシート材により靴１の内底１０の上面形状に倣う形状に型どりした中敷き本体２と、樹脂材により前記中敷き本体２の、爪先部２ａを除いた足掌部２ｂから踵部２ｃに渡る部位に重合する形状に成形して、その中敷き本体２の下面側の前記足掌部２ｂから踵部２ｃとに渡る部位に重合して接着する成形板３とで形成してある。
【００１５】
中敷き本体２は、この実施例においては、通気性を具備する多孔質状に編成した布地よりなる表皮２０と、弾性を具備する軟質の樹脂材またはゴム材等のクッション材よりなる裏皮２１とを重合・接着して、自在に屈曲する一枚の柔軟なシート状に形成してある。
【００１６】
この中敷き本体２の下面側に重合して一体的に接着する成形板３は、樹脂材により、平面視において、図３にあるように、中敷き本体２の踵に対応する踵部２ｃから足掌に対応する足掌部２ｂに渡る部位の形状に対応する形状のへら形の板状に成形するが、それの後端側の、中敷き本体２の踵部２ｃに対応する後端部３０は、周縁を上向きに弯曲させて、人の足の踵の底部を嵌入させ、それを下方から包み込むようになる椀状の凹窪部に成形してあり、これに連続する中間部３１は、浅く弯曲する半円筒状に形成し、また前端部３２は平板状に成形してある。そして、足掌部２ｂと対応する部位の後半側で、足掌の土踏まず部と対応する中間部３１は、図５及び図６にあるように、側面視において、前記椀状の凹部に成形した後端部位３０の前縁側から上向きに弯曲した後、下向きに弯曲するアーチ状に成形してあり、かつ、上向きに弯曲して上昇するに従い、底面の凹み込む方向の弯曲度が、図４の後面図および図８の断面図にあるように浅くなるようにしてある。そして、この側面視において、アーチ状に弯曲する中間部３１の下降傾斜する前縁側は、さらに凹み方向の弯曲度が浅くなり、その先に平板状の前端部３２が連続する形状に成形してあり、これにより全体を、平板状の前端部３２を把持柄とする巾広の匙状に形成している。そしてまた、この成形板３の中間部３１の、足掌の内縁側の土踏まずと対応する側の辺縁には、着装する人の土踏まずの底面に倣う形状に弯曲させて高く張り出す張出壁３ａが形成してある。
【００１７】
これにより、この成形板３を、中敷き本体２の下面側に重合して接着して成形する中敷きａは、図２にあるように、全体が巾広のスプーン状に形成される。
【００１８】
３ｂは、上述の成形板３の、下面側の弧状に弯曲する左右の外壁面の外面で、土踏まずに対応させる張出壁３ａを設けた内側と反対側に位置する外側位置に前後に並列する突起状に設けた踏張り駒で、底面を平らにし、外面側を略垂直にし、内面側を成形板３の外面の弧状の弯曲面に沿う、後面視において略直角三角形状をなす突条状に形成されて、成形板３を成形する樹脂材により一体に連続させて成形してある。そして、この踏張り駒３ｂは、成形板３の後端部３０から中間部３１に渡る範囲における成形板３の下面側の外面の弯曲面の外側部位に、前後方向に少しの間隔をおいて複数個並設してある。
【００１９】
この踏張り駒３ｂは、それの平らな底面が、成形板３の椀状に弯曲する下面側の底面より幾分高く位置するよう設定してあり、ゴルフのプレーにおいて踏張ったときに靴１の内底１０に圧接して荷重を支えるようにしている。
【００２０】
３ｃは、成形板３の下面側で、張出壁３ａを形成した内側における弧状の弯曲面の外面に、前記踏張り駒３ｂと同様の形状に形成して前後方向に並列させて装設した安定用駒で、この例においては、踵部２ｃに対応する後端部３０の外面部位にだけ設けている。
【００２１】
３ｄは成形板３の前縁部位に、平板状の前端部３２の樹脂材よりなる成形板３自体の弾性による撓曲性を付与するために形設した切込みである。
【００２２】
この成形板３を中敷き本体２の裏面側に重合させて密着させることで形成される中敷きａは、それの全体が図３にあるように巾広の匙状に形成され、これをゴルフ靴１の内側に敷き込んで、そのゴルフ靴１を着装したとき、靴１を履いた人の足の踵の底部から足掌部を、下方から包み込むようになって、足が履いた靴に対し良くフィットした状態とする。
【００２３】
そして、クラブをスイングしてゴルフボールを打つときに、左足の外側にかかる荷重を、踏張り駒３ｂが支えて、足のくるぶし部分が外側に折れ曲がるようになるのを抑止し、さらに、土面を踏み付ける上下方向の荷重を、成形板３の中間部３１に形成したアーチ状の弯曲部が、樹脂材で成形する成形板３自在の弾力性により押し潰されるように変形していくことで受けることにより、左足のぶれを効果的に防止し得るようになって、スライスのない打球が打てるようになる。
【実施例２】
【００２４】
次に、図１０乃至図１１は、別の実施例を示している。
この例は、中敷きａを、柔軟なシート材により、靴１の内底１０に対応する形状に形成する中敷き本体２と樹脂材により巾広のスプーン状に成形して、中敷き本体２の裏面側に重合して密着する成形板３とで組立てること、中敷き本体２にあっては、通気性を具備する布地よりなる表皮２０とクッション材よりなる裏皮２１とを重合して形成し、成形板３にあっては、それの後端部３０を深く凹窪状に弯曲する椀状に成形し、中間部３１を前記椀状の凹窪部に連続する浅い半円筒状に成形し、前端部３２を平らな平板状に成形し、かつ、中間部３１は側面視でアーチ状に弯曲させ、それの内縁側に土踏まずに倣うよう張出壁３ａを設け、さらに、下面側の弧状に弯曲する外面に、後面視で三角錐状をなす突条状の踏張り駒３ｂ…と安定用駒３ｃ…を設けて構成することについては、前述の第１の実施例と変わりがないが、その成形板３には、それの中間部３１に形成したアーチ状の弯曲部位による踏圧方向の荷重に対するバネ性を、やわらかにするために、図１１にあるように透孔３ｅを設け、中敷き本体２に通気性を良くするために通気孔３ｆ…を設けている例である。
【図面の簡単な説明】
【００２５】
【図１】ゴルフ靴の一部破断した斜視図である。
【図２】同上のゴルフ靴の内部に挿脱自在に挿入して敷き込む中敷きの斜視図である。
【図３】同上の中敷きの、柔軟なシート材よりなる中敷き本体の下面側に重合して密着させる樹脂材よりなる成形板である。
【図４】同上成形板の後面視における斜視図である。
【図５】同上成形板の側面視における斜視図である。
【図６】同上成形板の反対側からの側面視における斜視図である。
【図７】同上成形板の後端部の縦断後面図である。
【図８】同上成形板の中間部の縦断後面図である。
【図９】同上成形板の前端部の縦断後面図である。
【図１０】別の実施例の中敷きの斜視図である。
【図１１】同上実施例の成形板の斜視図である。
【符号の説明】
【００２６】
ａ…中敷き、１…靴、１０…内底、２…中敷き本体、２ａ…爪先部、２ｂ…足掌部、２ｃ…踵部、２０…表皮、２１…裏皮、３…成形板、３ａ…張出壁、３ｂ…踏張り駒、３ｃ…安定用駒、３ｄ…切込み、３ｅ…透孔、３ｆ…通気孔、３０…後端部、３１…中間部、３２…前端部。
【図１】
0003120509.tif 000003
【図２】
0003120509.tif 000004
【図３】
0003120509.tif 000005
【図４】
0003120509.tif 000006
【図５】
0003120509.tif 000007
【図６】
0003120509.tif 000008
【図７】
0003120509.tif 000009
【図８】
0003120509.tif 000010
【図９】
0003120509.tif 000011
【図１０】
0003120509.tif 000012
【図１１】
0003120509.tif 000013